(57)【要約】【課題】  組付け作業の効率向上を図るとともに、不正侵入具の侵入をより確実に阻止する。【解決手段】    前扉３の側部後面に固定される側部板１５の外側片１５ｂに、ロックレバーを内側片１５ａに枢支するための支軸１６及びその近傍に対向する切欠部１５ｃを設けるとともに、筐体２における開口の側縁に設けられる不正侵入阻止板５に、前扉３の閉状態で切欠部１５ｃを遮蔽可能な切欠遮蔽部６ｂを設ける。    【選択図】  図２
2006081763.tif 000002
【特許請求の範囲】
【請求項１】
前面が開口し、かつ遊技装置が収容される筐体と、該筐体の開口を開閉可能な前扉とを備え、該前扉の側部後面に、後方へ向けて突出する左右の側片を有する断面ほぼコ字状の側部板を固定するとともに、該側部板の左右の側片のうち内側に位置する内側片に、前記筐体側に係合することにより、前記前扉を閉状態に拘束可能なロックレバーを支軸により枢支し、また、前記筐体における開口の側縁に、前記前扉の閉状態で前記側部板の側片と重合し、前記筐体と前記前扉との間の隙間を遮蔽可能な不正侵入阻止板を設けた遊技機において、
前記側部板の左右の側片のうち外側に位置する外側片に、前記支軸及びその近傍に対向する切欠部を設けるとともに、前記不正侵入阻止板に、前記前扉の閉状態で前記切欠部を遮蔽可能な切欠遮蔽部を設けたことを特徴とする遊技機。
【請求項２】
切欠遮蔽部の前端縁を、不正侵入阻止板における上部または下部の前端縁より前方へ突出させたことを特徴とする請求項１記載の遊技機。
【発明の詳細な説明】
【技術分野】
【０００１】
本発明は、遊技装置が収容される筐体と、筐体の前面に開閉可能に設けられる前扉とを備えた遊技機に関する。
【背景技術】
【０００２】
従来、スロットマシン等の遊技機においては、遊技装置、例えば、図柄等を変動表示可能なリールユニット、メダルを払い出可能なホッパーユニット、各種電装部品に電力を供給する電源ボックス等が収容される筐体と、筐体の前面に開閉可能に設けられる前扉とを備え、不正行為、例えば、ピアノ線等の不正侵入具を用いて、遊技装置が不正に操作されることを阻止するため、前扉の側部後面に、左右の側片を有する横断面ほぼコ字状の側部板（側部錠板金）を固定するとともに、筐体の開口の側縁に、前扉の閉鎖時に側部板と重合し、筐体と前扉との間の隙間を遮蔽可能な不正侵入阻止板（右側部枠板）を設けている。また、前扉を閉鎖状態に拘束するためのロックレバーは、側部板の一方の側片に支軸により枢支されている（例えば、特許文献１参照）
【特許文献１】特開２００１−１２０７１０号公報
【発明の開示】
【発明が解決しようとする課題】
【０００３】
しかし、上述のような遊技機においては、不正侵入具の筐体への侵入をより確実に阻止するため、側部板におけるロックレバーが枢支される一方の側片に対向する他方の側片の後方への突出量を大にすると、ロックレバーを一方の側片に枢支するための支軸をかしめ機によりかしめる際、かしめ機が他方の側片に干渉する等して、支軸のかしめ作業及び組付け作業の効率低下を招くおそれがある。
【０００４】
本発明は、従来の問題に鑑み、組付け作業の効率向上を図るとともに、不正侵入具の侵入をより確実に阻止することができるようにした遊技機を提供することを目的とする。
【課題を解決するための手段】
【０００５】
本発明によると、上記課題は、次のようにして解決される。
（１）前面が開口し、かつ遊技装置が収容される筐体と、該筐体の開口を開閉可能な前扉とを備え、該前扉の側部後面に、後方へ向けて突出する左右の側片を有する断面ほぼコ字状の側部板を固定するとともに、該側部板の左右の側片のうち内側に位置する内側片に、前記筐体側に係合することにより、前記前扉を閉状態に拘束可能なロックレバーを支軸により枢支し、また、前記筐体における開口の側縁に、前記前扉の閉状態で前記側部板の側片と重合し、前記筐体と前記前扉との間の隙間を遮蔽可能な不正侵入阻止板を設けた遊技機において、前記側部板の左右の側片のうち外側に位置する外側片に、前記支軸及びその近傍に対向する切欠部を設けるとともに、前記不正侵入阻止板に、前記前扉の閉状態で前記切欠部を遮蔽可能な切欠遮蔽部を設ける。
【０００６】
（２）上記(１)項において、切欠遮蔽部の前端縁を、不正侵入阻止板における上部または下部の前端縁より前方へ突出させる。
【発明の効果】
【０００７】
本発明によれば、次のような効果が奏せられる。
（ａ）請求項１記載の発明によると、側部板の外側片に切欠部を設けたことにより、ロックレバーの支軸のカシメ作業及び組付け作業を容易に行うことができる。また、不正侵入阻止板に切欠部を遮蔽可能な切欠遮蔽部を設けたことにより、筐体と前扉との間の隙間を確実に遮蔽することができ、不正侵入具による遊技装置の不正な操作をより確実に阻止することができる。
【０００８】
（ｂ）請求項２記載の発明によると、不正侵入具を不正侵入阻止板の上部または下部から筐体内に侵入させようとしても、不正侵入具を上方または下方へ移動させる際、不正侵入具が切欠遮蔽部の上端または下端に引っ掛かるため、不正侵入具を用いての不正行為をより確実に阻止することができる。
【発明を実施するための最良の形態】
【０００９】
以下、本発明の一実施形態を、図面に基づいて説明する。図１は、本発明を適用した遊技機（スロットマシン）の正面図、図２は、筐体及び前扉の一部を切り欠いた遊技機の右側面図、図３は、前扉が僅かに開いた状態の遊技機の右側面図、図４は、前扉の右半分の後面図、図５は、図２におけるＶ部の拡大図、図６は、図５におけるVIーVI線に沿う横断面図である。なお、以下の説明では、図１において紙面手前側、図２、３において左側を遊技機の「前方」とし、図１において紙面奥側、図２、３において右側を「後方」とし、図１において左側、図２、３において紙面奥側を「左方」とし、図１において右側、図２、３において紙面手前側を「右方」とする。
【００１０】
遊技機(１)は、前面が開口した矩形状の筐体(２)と、筐体(２)の左前端部に上下方向を向くヒンジ軸(４)により開閉可能に枢支された前扉(３)とを備える。前扉(３)は、前扉(３)の右側部後面に設けられた後述の上下のロックレバー(５)が筐体(２)の右側板(2a)に固定された縦方向の不正侵入阻止板(６)に折曲形成された係合片(6a)に係合することにより、閉状態に拘束される。
【００１１】
筐体(２)の内部には、遊技装置をなす外周面に複数種類の図柄が付記された円筒状の３個の回胴体(7a)を有するリールユニット(７)、遊技媒体であるメダルを貯留及び放出可能なホッパーユニット(８)、遊技全体を統括的に制御する主制御基板(９)及び各遊技装置に電力を供給する電源ボックス(10)等が収容されている。
【００１２】
前扉(３)の前面には、各回転リール(7a)の図柄を視認可能な図柄表示窓(3a)、メダルを投入可能なメダル投入口(11)、メダルの賭数を設定可能なベットボタン(12)、全ての回転リール(7a)を回転させるスタートレバー(13)、各回転リール(7a)を個別に停止させる３個のストップボタン(14)が設けられている。
【００１３】
遊技機(１)の遊技は、遊技者がメダル（コインを含む）をメダル投入口(11)に投入した後、ベッドボタン(12)及びスタートレバー(13)を順次操作して、全ての回転リール(7a)を回転させることによって開始される。そして、回転リール(7a)が回転して所定時間が経過した後、３個のストップボタン(14)を順次操作して、各回転リール(7a)の回転を停止させ、そのときの３個の回転リール(7a)の図柄の組み合わせにより、入賞の有無、及び賞の大小に応じたメダルの配当枚数が確定され、入賞した場合には、予め定めた入賞枚数分だけホッパーユニット(８)から前扉(３)の前面下部に設けられた受皿(3b)にメダルが払い出される。
【００１４】
なお、本実施形態の遊技機(１)は、メダルを使用して上述のような遊技を行うスロットマシンとするが、本発明は、本実施形態に特定されるものでなく、例えば、遊技機(１)を、パチンコ機やパチンコ玉を使用して上述とほぼ同様な遊技を行うことができるスロットマシンとしても良い。
【００１５】
前扉(３)の右側部後面には、縦方向を向く金属製の側部板(15)が固定されている。側部板(15)は、後方へ向けて突出する左側の内側片(15a)及び右側の外側片(15b)を有する横断面ほぼコ字状をなし、内側片(15a)の上部寄り及び下部寄りには、ロックレバー(５)が左右方向を向く支軸(16)により枢支され、また、同じく上下方向の中央部には、前扉(３)の前面に設けられるキーシリンダ(17)の操作によって上下方向へ揺動可能なキーレバー(18)（図４参照）が枢支されている。
【００１６】
上下のロックレバー(５)は、上下方向へ移動可能な上下の連結杆(19)を介して、キーレバー(18)に連結され、キーシリンダ(17)の操作に伴うキーレバー(18)の揺動に同期して、上下の連結杆(19)を介して、支軸(16)を中心に下方へ回動することにより、後端部に設けられたフック部(5a)が不正侵入阻止板(６)の係合片(6a)から離脱して、前扉(３)の開放を可能にする。なお、連結杆(19)は、左右方向を向く連結軸(19a)により、上下のロックレバー(５)に回動可能に連結される。
【００１７】
側部板(15)の外側片(15b)には、支軸(16)及びその近傍に対向する切欠部(15c)が設けられている。この切欠部(15c)は、ロックレバー(５)を内側片(15a)に枢支するためにかしめ機により支軸(16)を内側片(15a)にかしめる際、カシメ機が内側片(15a)に対向する外側片(15b)に干渉しないような寸法で切り欠かれている。したがって、支軸(16)をかしめる際、かしめ機が外側片(15b)に干渉することがないので、ロックレバー(５)を枢支する支軸(16)のカシメ作業及び組付け作業を効率的に行うことができる。
【００１８】
不正侵入阻止板(６)は、筐体(２)の右側板(2a)の前部内側に複数のねじ(20)により固定されるとともに、前扉(３)が閉じられると、主に図６に示すように、側部板(15)の内側片(15a)と外側片(15b)との間に突入して、外側片(15b)に対して左右方向に重合する。
【００１９】
不正侵入阻止板(６)における側部板(15)の切欠部(15c)に対向する領域には、主に図５に示すように、前扉(３)の閉状態で切欠部(15c)と重合し、切欠部(15c)を遮蔽可能な切欠遮蔽部(6b)が設けられている。切欠遮蔽部(6b)は、不正侵入阻止板(６)の上部前縁(6c)及び下部前縁(6d)より前方へ突出するように形成される。これにより、上側の切欠遮蔽部(6b)の上端及び下側の切欠遮蔽部(6b)の下端には、ほぼ水平方向を向く段差部(6e)(6f)が形成される。
【００２０】
なお、本実施形態は、上側の切欠遮蔽部(6b)と下側の切欠遮蔽部(6b)とは、主に図２、３に示されるように、上下方向に連続して設けられるが、これに代えて、上下の切欠遮蔽部(6b)を断続して設け、切欠部(15c)のみを遮蔽するだけの長さとしても良い。
【００２１】
上述により、前扉(３)の閉状態においては、不正侵入阻止板(６)と側部板(15)の内側片(15a)及び外側片(15b)とが左右方向に重合するとともに、側部板(15)の切欠部(15c)が不正侵入阻止板(６)の切欠遮蔽部(6b)により遮蔽されるため、筐体(２)と前扉(３)との間の隙間が確実に遮蔽される。これにより、筐体(２)と前扉(３)との間の隙間からピアノ線等の不正侵入具を筐体(２)の内部に侵入させ、遊技装置を不正に操作するような不正行為を確実に防止することができる。
【００２２】
以上により、本発明は、前面が開口し、かつ遊技装置(７)(８)(９)(10)が収容される筐体(２)と、筐体(２)の開口を開閉可能な前扉(３)とを備え、前扉(３)の側部後面に、後方へ向けて突出する内側片(15a)及び内側片(15a)に対向する外側片(15b)を有する断面ほぼコ字状の側部板(15)を固定するとともに、側部板(15)の内側片(15a)に、筐体(２)に設けられた係合片(6a)に係合することにより、前扉(３)を閉状態に拘束可能なロックレバー(５)を支軸(16)により枢支し、また、筐体(２)における開口の側縁に、前扉(３)の閉状態で側部板(15)の両側片(15a)(15b)と重合し、筐体(２)と前扉(３)との間の隙間を遮蔽可能な不正侵入阻止板(６)を設けた遊技機において、側部板(15)の外側片(15b)に、支軸(16)及びその近傍に対向する切欠部(15c)を設けるとともに、不正侵入阻止板(６)に、前扉(３)の閉状態で切欠部(15c)を遮蔽可能な切欠遮蔽部(6b)を設けたことにより、ロックレバー(５)の支軸(16)のカシメ作業及び組付け作業を容易に行うことができる。さらには、筐体(２)と前扉(３)との間の隙間からピアノ線等の不正侵入具を筐体(２)の内部に侵入させ、遊技装置を不正に操作するような不正行為を確実に防止することができる。
【００２３】
また、切欠遮蔽部(6b)の前端縁を、不正侵入阻止板(６)における上部の前端縁(6c)または下部の前端縁(6d)より前方へ突出させたことにより、不正侵入具を不正侵入阻止板(６)の上部または下部から筐体(２)内に侵入させようとしても、不正侵入具を上方または下方へ移動させる際、不正侵入具が切欠遮蔽部(6b)の上端または下端に設けられる段差部(6e)(6f)に引っ掛かるため、不正侵入具の侵入をより確実に阻止することができる。
【図面の簡単な説明】
【００２４】
【図１】本発明を適用した遊技機の正面図である。
【図２】筐体及び前扉の一部を切り欠いた遊技機の右側面図である。
【図３】前扉が僅かに開いた状態の遊技機の右側面図である。
【図４】前扉の右半分の後面図である。
【図５】図２におけるＶ部の拡大図である。
【図６】図５におけるVIーVI線に沿う横断面図である。
【符号の説明】
【００２５】
(１)遊技機
(２)筐体
(2a)右側板
(３)前扉
(3a)図柄表示窓
(3b)受皿
(４)ヒンジ軸
(５)ロックレバー
(5a)フック部
(６)不正侵入阻止板
(6a)係合片
(6b)切欠遮蔽部
(6c)上部前縁
(6d)下部前縁
(6e)(6f)段差部
(７)リールユニット（遊技装置）
(7a)回転リール（遊技装置）
(８)ホッパーユニット（遊技装置）
(９)主制御基板（遊技装置）
(10)電源ボックス（遊技装置）
(11)メダル投入口
(12)ベットボタン
(13)スタートレバー
(14)ストップボタン
(15)側部板
(15a)内側片
(15b)外側片
(15c)切欠部
(16)支軸
(17)キーシリンダ
(18)キーレバー
(19)連結杆
(19a)連結軸
(20)ねじ
【図１】
2006081763.tif 000003
【図２】
2006081763.tif 000004
【図３】
2006081763.tif 000005
【図４】
2006081763.tif 000006
【図５】
2006081763.tif 000007
【図６】
2006081763.tif 000008